(57)【要約】【課題】本発明は、投出口を閉止するシャッタが無理に移動されないようにし、これによって、投出口から器具を挿入して、カウントセンサが恰もコインを検出している状態を構築できないようにすることにより、コインの不正入手を防止することを目的とする。【解決手段】モータにより作動される送出装置と、前記送出装置から投出口へのコイン通路に配置したカウントセンサ、前記投出口の閉鎖位置と開放位置に選択的に移動可能であり、かつ、スライドピンを有するシャッタ、前記スライドピンがスライド可能に挿入され、かつ、前記シャッタを前記閉鎖位置と解放位置に誘導すると共に前記閉鎖位置において閉鎖位置に保持する保持部を有するカム溝、前記シャッタを前記モータのオンオフに連動して前記閉鎖位置と開放位置に選択移動する移動装置、を有するコインホッパの不正防止装置である。【選択図】        図２
2004280716.tif 000002
【特許請求の範囲】
【請求項１】
モータにより作動される送出装置（８）、前記送出装置（８）から投出口（４４）へのコイン通路（２３）に配置したカウントセンサ（４１）、前記投出口（４４）の閉鎖位置（９７）と開放位置（９８）に選択的に移動可能であり、かつ、案内装置（５４）の一部（７４、７６）を構成するシャッタ（５２）、前記案内装置（５４）の一部（７４、７６）と係合し、前記シャッタ（５２）を前記閉鎖位置（９９）と解放位置（９８）に誘導すると共に前記閉鎖位置（９９）において保持する保持部（７２）を有する前記案内装置（５４）の他部（６６、６８）、前記シャッタ（５２）を前記モータのオンオフに連動して前記閉鎖位置と前記開放位置に選択移動する移動装置（５６）、を有するコインホッパの不正防止装置。
【請求項２】
前記案内装置（５４）の他部はカム溝（６６、６８）であり、ガイドボード（６４）に一対形成され、前記シャッタ（５２）の前記案内装置（５４）の一部である一対のスライドピン（７４、７６）が前記カム溝（６６、６８）にスライド可能に位置し、前記カム溝（６６、６８）はコイン通路（２３）に対し傾斜する傾斜部（７０）と平行する保持部（７２）を有する請求項１のコインホッパの不正防止装置。
【発明の詳細な説明】
【０００１】
【発明が属する技術分野】
本発明は、コインを１個ずつ区分けして放出するコインホッパに関する。
特に、コインの投出口から器具を挿入して行う不正を防止するコインホッパの不正防止装置に関する。
なお、本明細書で使用する「コイン」は、通貨であるコインの他、ゲーム機のメダルやトークン等の代用貨幣または類似のものをも包含する。
【０００２】
【従来の技術】
本出願人は、コインホッパのコイン投出口に器具を挿入して行うコインの不正入手を防止する技術を特願２００１−１７７９３３（特開２００２−３６６９９９）において提案した。
この技術は、シャッタ装置をコインホッパのコイン投出口に配置し、コイン送出装置の作動に連動して前記シャッタ装置が移動するよう構成し、コインホッパがコインを投出してない場合、前記シャッタにより前記コイン投出口を閉じるようにしたものである。
シャッタに形成した傾斜長孔に固定ピンが挿入され、シャッタが長手方向に移動される場合、固定ピンと傾斜長孔とによってシャッタが横方向にスライドすることによって、前記コイン投出口をシャッタが閉じる構造が、その実施例に開示されている。
【０００３】
この実施例において、シャッタが投出口を閉止している場合、傾斜長孔と固定ピンとによりその位置を保持されているため、シャッタの端面と投出口の壁面との間に無理に器具を挿入することにより、従来と同様に不正が行われる懸念がある。
【０００４】
【発明が解決しようとする課題】
本発明は前述の懸念に鑑み、投出口を閉止するシャッタが無理に移動されないようにし、これによって、投出口から器具を挿入し、カウントセンサが恰もコインを検出している状態を構築できないようにすることにより、前記不正を防止することを目的とする。
第２の目的は、前記不正の防止装置を、簡単な構造にすることにより安価に提供することである。
【０００５】
【課題を解決するための手段】
この目的を達成するため、本発明のホッパは以下のように構成されている。
モータにより作動される送出装置、前記送出装置から投出口へのコイン通路に配置したカウントセンサ、前記投出口の閉鎖位置と開放位置に選択的に移動可能であり、かつ、案内装置の一部を構成するシャッタ、前記案内装置の一部と係合し、前記シャッタを前記閉鎖位置と解放位置に誘導すると共に前記閉鎖位置において保持する保持部を有する前記案内装置の他部、前記シャッタを前記モータのオンオフに連動して前記閉鎖位置と前記開放位置に選択移動する移動装置、を有するコインホッパの不正防止装置である。
【０００６】
この構成によれば、コインホッパが停止している場合、シャッタは移動装置よってその長手方向に移動される。
これより、コイン通路に対して傾斜している案内装置の一部（カム溝）によって案内装置の他部（スライドピン）が案内され、前記案内装置の他部（スライドピン）と一体のシャッタはその長手方向に対し直交方向にスライドすることにより投出口を塞ぐ。
この塞いだ状態において、案内装置の他部（スライドピン）は案内装置の一部（カム溝）の保持部に位置するため、シャッタをこじ開けるように移動させた場合、保持部に直角方向に力が加わるのみであるので、シャッタを移動させることができない。
【０００７】
一方、コインを投出する場合、移動装置が作動してシャッタを横方向にスライドさせることにより投出口が開放される。
したがって、ホッパがコインを投出していない場合、シャッタをスライドさせることが出来ないので投出口から器具を挿入することができない。
よって、コインを不正に入手できない。
【０００８】
ホッパがコインを投出している場合、コインが勢い良く投出口から投出されているので、器具を投出口へ挿入することは極めて困難である。
これにより、投出口は実質的に全期間塞がれているので器具を投出口へ挿入することができないので、不正は完全に防止される。
【０００９】
本発明は、前記案内装置の一部であるカム溝が、ガイドボードに一対形成され、前記案内装置の他部である前記シャッタの一対のスライドピンが前記カム溝にスライド可能に位置し、前記カム溝はコイン通路に対し傾斜する傾斜部と平行する保持部を有することが好ましい。
この構成によれば、ガイドボードに形成した一対のカム溝とこれに挿入したスライドピンという簡単な構成のため、安価に製作できる。
【００１０】
【発明の実施の形態】
図１は、本発明の実施例の不正防止装置を装着したコインホッパの分解斜視図である。
図２は、本発明の実施例の不正防止装置を装着したベースと回転ディスクの平面図である。
図３は、本発明の実施例の不正防止装置のシャッタが解放位置にあるときの正面図である。
図４は、図３におけるＸ―Ｘ線断面図である
図５は、本発明の実施例の不正防止装置のシャッタがが閉鎖位置にあるときの正面図である。
【００１１】
コインホッパ２は、大凡ベース４、モータ（図示せず）によって駆動されるコイン５の送出装置８およびコイン５をバラ積み状態で保留する保留ボウル１０を備えている。
保留ボウル１０は、ベース４の上面に１２に密着固定されている。
ベース４の上面１２は傾斜しており、中央に円形凹部１４が形成され、送出装置８である回転ディスク６が配置されている。
回転ディスク６には、等間隔にコインの通孔１６が複数形成され、回転ディスク６の回転によって通孔１６に落下したコインは、回転ディスク６下面の押出突起（図示せず）に押されつつ円形凹部１４の底面と周面に案内されて回転ディスク６と共に移動する。
円形凹部１４の一部周面に開口１８が形成され、前記コイン５が回転ディスク６の側方へ押し出される。
【００１２】
開口１８に続いてベース４の左側面２０まで凹溝２２が形成されている。
凹溝２２は、後述のようにコイン５が通過するので、コイン通路２３を構成する。固定軸２４に回転自在の固定ローラ２６が凹溝２２における開口１８の近くに配置されている。
凹溝２２において、固定ローラ２６と所定間隔離れて移動ローラ２８が配置されている。
移動ローラ２８は、ベース４の裏面に固定された軸３０に揺動運動可能に支持されたレバー３２に固定された移動軸３４の先端部に回転自在に取り付けられている。
【００１３】
レバー３２はスプリング（図示せず）により図２において反時計方向に回転力を付与されているが、通常はストッパ（図示せず）により図２の位置に静止している。
このとき、固定ローラ２６と移動ローラ２８の間隔は、コイン５の直径よりも小さい。
また、コイン５が固定ローラ２６と移動ローラ２８との間に位置したとき、移動ローラ２８は軸３０を支点にベース４の弧状長孔３６を図２において時計方向にピボット運動する。
このとき、レバー３２の作用片３８がベース４の裏面に固定されたセンサ４０によって検知され、センサ４０は検知信号を出力する。
【００１４】
移動ローラ２８、レバー３２、作用片３８およびセンサ４０は、コイン５のカウントセンサ４１を構成している。
凹部２２の上部にガイドプレート４２が着脱可能に固定され、投出口４４が形成される。
したがって、投出口４４の直前は、断面スリット状のトンネル４６である。
固定ローラ２６はトンネル４６に位置している。
【００１５】
次に図３から図５を参照してシャッタ装置５０の構造を説明する。
シャッタ装置５０は、シャッタ５２、シャッタ５２の案内装置５４及びシャッタ５２の移動装置５６を含んでいる。
まず、シャッタ５２を説明する。
シャッタ５２は板状であって、ベース４に対し平行方向に僅かに及び直交方向に移動可能である。
投出口４４の直前のベース４に凹溝２２を横断するスリット状の移動孔５８が形成されている。
【００１６】
この移動孔５８にシャッタ５２の先端６０が挿入されている。
この状態において、シャッタ５２は、図２に示すようにコイン通路２３の全幅を横断するように位置する。
移動孔５８に相対するガイドプレート４２の裏面には僅かに窪ませた閉止溝６２が形成してある。
これにより、シャッタ５２の先端６０は閉止溝６２に突入することができる。
この状態を投出口４４から見た場合、先端６０は閉止溝６２内に隠れるので、器具を先端６０と閉止溝６２の底との間に挿入することは極めて困難である。
【００１７】
次に、案内装置５４を説明する。
案内装置５４は、シャッタ５２が移動する際のガイド機能を有する。
案内装置５４は、その一部としてのカム溝６６、６８および他部としてのスライドピン７４、７６を含んでいる。
ベース４に対し直交方向に伸びる断面矩形のガイドボード６４が、ベース４の裏面から下方に突出している。
一対の同一形状のカム溝６６、６８がガイドボード６４に形成されている。
カム溝６６および６８は同一形状であるので、カム溝６６を代表して説明する。
【００１８】
カム溝６６は、コイン通路２３に対し傾斜する傾斜部７０と、コイン通路２３に対し平行な保持部７２を有し、それら傾斜部７０と保持部７２は、同一幅であって連続しており、アングル形状である。
スライドピン７４および７６は、カム溝６６および６８を貫通しており、スライド可能である。
スライドピン７４および７６は、同一形状であるため、スライドピン７６を代表して説明する。
スライドピン７４の基部はシャッタ５２に固定され、スライドピン７４の頭部７８はピン部より大径である。
この頭部７８とシャッタ５２とでガイドボード６４をサンドイッチし、シャッタ５２がガイドボード６４に沿ってその長手方向およびコイン通路２３に対し直交方向に移動可能である。
したがって、ガイドピン７４、７６をベース４に固定し、シャッタ５２にカム溝６６、６８を形成することができる。
【００１９】
次に移動装置５６の構造を説明する。
ソレノイド８０と、ソレノイド８０のプランジャ８２とシャッタ５２を連結するリンク機構８４を含んでいる。
プランジャ８２は、ピン８６とボディ８８との間に配置したスプリング９０によってボディ８８から突出するよう力を受けている。
シャッタ５２に一体にその下端から横方向に伸びた後、垂直に立ち上がる被動部９２が形成されている。
ピン８６に一端をピボット可能に支持されたリンク９４の他端は、ピン９６によって被動部９２にピボット可能に支持されている。
【００２０】
次に本実施例の作用を説明する。
ソレノイド８０が励磁されない場合、プランジャ８２はスプリング９０によって突出されるので、ピン８６、リンク９４、ピン９６および被動部９２を介してシャッタ５２は、ガイドボード６４に対し図３の位置から図５の位置へ左方へ向かって押され、その長手方向へ移動する。
これによりスライドピン７４、７６は、傾斜部７０によってガイドされ、ベース４に近づくよう移動する。
したがってシャッタ５２は、コイン通路２３を横断し、その先端６０は閉止溝６２の底部に接した状態で停止される。
【００２１】
すなわち、投出口４４はシャッタ５２によって閉止される、よってこの位置がシャッタ５２の閉鎖位置９７である。
このとき、スライドピン７４、７６は、カム溝６６、６８の保持部７２に位置する。
保持部７２において、コイン通路２３に対し平行な壁面９９を有する。
したがって、無理にこじ開けようとしてシャッタ５２がコイン通路２３に対し下方へ力を受けた場合、スライドピン７４、７６は、その平行壁面９９にほぼ直角に押しつけられるので、その壁面９９で受け止められ、シャッタ５２はその長手方向に移動しない。
結果として、シャッタ５２は閉鎖位置９７に保持される。
したがって、シャッタ５２が器具によって無理に解放されることがない。
ソレノイド８０の消磁は、コイン５の払出終了に連動して行われる。
すなわち、回転ディスク６のモータの作動終了に連動して行われる。
【００２２】
ソレノイド８０が励磁された場合、プランジャ８２は引き込まれるので、スライドピン７４、７６は図５の位置から右方へ移動される。
これにより、スライドピン７４、７６は傾斜部７０によって案内されてコイン通路２３から離れる方向へ移動され、傾斜部７０の下端によって停止される。
これによりシャッタ５２は、ベース４に対し下方に移動し、図３および４に図示するように先端６０は移動孔５８内に引っ込み、コイン通路２３から退出する。
この位置が、シャッタ５２の解放位置９８である。
このシャッタ５２のコイン通路２３からの退避動は、回転ディスク６によるコイン５の送り出しに関連して行われる。
すなわち、回転ディスク６を回転するモータの作動開始に先立って行われる。
【００２３】
また、シャッタ５２が移動されない場合の不具合を回避するため、シャッタ５２がコイン通路２３から退出したことをセンサによって検出し、その検出に基づいて回転ディスク６によるコイン５の送り出しを行うことが好ましい。
さらに、シャッタ５２の閉鎖位置９７への移動は、回転ディスク６の停止信号後のセンサ４０からの検知信号が出力された後、ソレノイド８０を消磁し、払い出されるべきコイン５がシャッタ５２によって邪魔されないようにすることが好ましい。
【００２４】
【図面の簡単な説明】
【図１】図１は、本発明の実施例の不正防止装置を装着したコインホッパの分解斜視図である。
【図２】図２は、本発明の実施例の不正防止装置を装着したベースと回転ディスクの平面図である。
【図３】図３は、本発明の実施例の不正防止装置のシャッタが解放位置にあるときの正面図である。
【図４】図４は、図３におけるＸ―Ｘ線断面図である
【図５】図５は、本発明の実施例の不正防止装置のシャッタがが閉鎖位置にあるときの正面図である。
【００２４】
【符号の説明】
８        送出装置
２３      コイン通路
４１      カウントセンサ
４４      投出口
５２      シャッタ
５６      移動装置
６４      ガイドボード
６６、６８  カム溝
７０      傾斜部
７２      保持部
７４、７６  スライドピン
９７      閉鎖位置
９８      開放位置
【図１】
2004280716.tif 000003
【図２】
2004280716.tif 000004
【図３】
2004280716.tif 000005
【図４】
2004280716.tif 000006
【図５】
2004280716.tif 000007